(57)【要約】【課題】ポンプ式液体噴出器のポンプ操作部へ着脱自在に装着させるストッパへ、コマーシャル板を付設して、該板を上記液体噴出器へのコマーシャル表示用スペースとした。【解決手段】上記ストッパ11の一部へコマーシャル板13を付設して、該板で上記液体噴出器１の側面を覆合させた。【選択図】図１
2007229615.tif 000002
【特許請求の範囲】
【請求項１】
ポンプ式液体噴出器のポンプ操作部へ着脱自在に嵌合されて、ポンプ操作が不能に形成したストッパ11の一部へ、コマーシャル板13を付設し、該板で上記液体噴出器の側面を覆合させた
ことを特徴とするストッパ付きコマーシャル板。
【請求項２】
ノズル付き押下げヘッド７を上端に有するステム５を、容器体内から起立する縦形ポンプ式液体噴出器で上記噴出器を形成し、上記ステム部分外面へ、横断面Ｃ字形状のストッパ11内面を着脱自在に嵌合させ、該ストッパ11の背面から連結板12を外方突出させ、該連結板先端へコマーシャル板13を付設した
ことを特徴とする、請求項１記載のストッパ付きコマーシャル板。
【請求項３】
上記コマーシャル板13の上端部から押下げヘッド７の上面を覆う廂状板14を突出させた  ことを特徴とする請求項２記載のストッパ付きコマーシャル板。
【請求項４】
上記液体噴出器を前方突出された射出筒前部から斜下前方へトリガーを垂下し、該トリガーの上部後面へシリンダ内から前方突出させたプランジャ前端を圧接させたトリガー式液体噴出器で形成し、上記シリンダとトリガーとの間のプランジャ部分の下方外面へ横断面Ｃ字形状のストッパ11内面を着脱自在に嵌合させ、該ストッパの外側面から連結板12を外方突出させ、該連結板先端へ付設したコマーシャル板13でトリガー式液体噴出器の側面を覆合させた
ことを特徴とする請求項１記載のストッパ付きコマーシャル板。
【請求項５】
上記噴出器をトリガー式縦形ポンプで形成し、装着筒３から後上方へ突出させたアーム22の基部上面と、該アーム先端に後端部を枢着させたトリガー21の後部下面と、上記容器内から上方付勢されて起立し、上記トリガーの後部寄り部分へ上部を係合するステム５部分とが囲成する空間内へ着脱自在に嵌合させた棒状ストッパの基端にコマーシャル板13を付設し、該コマーシャル板で該トリガー式縦形ポンプ本体側面の主要部を覆合させた
ことを特徴とする請求項１記載のストッパ付きコマーシャル板。
【発明の詳細な説明】
【技術分野】
【０００１】
本発明は、ポンプ式液体噴出器のポンプ操作部へ着脱自在に装着させるストッパ付きコマーシャル表示板に関する。
【背景技術】
【０００２】
ポンプ式液体噴出容器として、縦形ポンプ式容器（特許文献１）が知られており、該容器にはそのポンプ操作が不能とするストッパが着脱自在に付設されている。ポンプ式液体噴出容器としてはその他トリガー式液体噴出容器（特許文献２）、トリガー式縦形ポンプ容器（特許文献３）も知られており、これ等容器にもそれ等のポンプ操作が不能とするストッパをそれぞれ着脱不能に装着させることが考えられる。
【特許文献１】特開平１０−２９６１４２号
【特許文献２】特開２００２−２００４４４号
【特許文献３】特開平８−１９６９５５号
【発明の開示】
【発明が解決しようとする課題】
【０００３】
コマーシャル等表示スペースとして液体噴出器本体の外面も用いられているが、該液体噴出器本体の外面は噴出器の構造上スペースが限定されており、そのためそのスペースにラベル等を印刷、或いは貼付等した場合はラベルが剥れたり、スペースが限定されていることで歪んだり、又小さくなり過ぎる等して見難くなることが多かった。
【０００４】
本発明は液体噴出器に用いられているストッパが、液体噴出器使用前はポンプ操作の安全装置として必ずポンプ操作部に装着されていることに着目し、又そのストッパ取外し時にその取外しが容易になるようそのストッパにコマーシャル表示板を付設し、該板を従来知られていなかった液体噴出器のコマーシャル等表示用の新たなスペースとして用いることが可能としたものである。
【課題を解決するための手段】
【０００５】
第１の手段としてポンプ式液体噴出器のポンプ操作部へ着脱自在に嵌合されて、ポンプ操作が不能に形成したストッパ11の一部へ、コマーシャル表示板13を付設し、該板で上記液体噴出器の側面を覆合させた。
第２の手段として、上記第１の手段を有し、かつノズル付き押下げヘッド７を上端に有するステム５を、容器体内から起立する縦形ポンプ式液体噴出器で上記噴出器を形成し、上記ステム部分外面へ、横断面Ｃ字形状のストッパ11内面を着脱自在に嵌合させ、該ストッパ11の背面から連結板12を外方突出させ、該連結板先端へコマーシャル表示板13を付設した。
第３の手段として、上記第１又は第２の手段を有すると共に、上記コマーシャル表示板13の上端部から押下げヘッド７の上面を覆う廂状板14を突出させた。
第４の手段として、上記第１の手段を有すると共に上記液体噴出器を前方突出された射出筒前部から斜下前方へトリガーを垂下し、該トリガーの上部後面へシリンダ内から前方突出させたプランジャ前端を圧接させたトリガー式液体噴出器で形成し、上記シリンダとトリガーとの間のプランジャ部分の下方外面へ横断面Ｃ字形状のストッパ11内面を着脱自在に嵌合させ、該ストッパの外側面から連結板12を外方突出させ、該連結板先端へ付設したコマーシャル表示板13でトリガー式液体噴出器の側面を覆合させた。
第５の手段として、上記第１の手段を有すると共に上記噴出器をトリガー式縦形ポンプで形成し、装着筒３から後上方へ突出させたアーム22の基部上面と、該アーム先端に後端部を枢着させたトリガー21の後部下面と、上記容器内から上方付勢されて起立し、上記トリガーの後部寄り部分へ上部を係合するステム５部分とが囲成する空間内へ着脱自在に嵌合させた棒状ストッパの基端にコマーシャル表示板13を付設し、該コマーシャル表示板で該トリガー式縦形ポンプ本体側面の主要部を覆合させた。
【発明の効果】
【０００６】
各請求項記載のようにすることで、そのコマーシャル表示板を液体噴出器が従来有しなかったコマーシャル表示用スペースとして活用でき、又該コマーシャル表示板はスペース的な制限がなく、従ってラベルを従来のように液体噴出器本体部分の一部外面が有するスペースに一致させる形状とする必要はなく、ラベルの形状等を先に定めてその形状に一致させてコマーシャル表示板を定めることが出来、よって宣傳効果を高めることが出来る。      
【０００７】
又ストッパは液体噴出器使用時には必ずその液体噴出器から取外すこととなるから、従ってそのストッパに付設したコマーシャル表示板も上記噴出器使用時に必ず取外すこととなり、そのコマーシャル表示板が噴出器使用時に邪魔となることは全くない。
【０００８】
更にストッパ着脱時にはそのコマーシャル表示板をストッパ着脱用の摘み板としても使用することが出来る。
【発明を実施するための最良の形態】
【０００９】
以下図面について説明する。まず図１と図２とが示す第１実施形態について説明すると、１は従来公知の縦形ポンプ式液体噴出器を示すもので、該噴出器について簡単に説明すると、２は容器体、３は該容器体口頸部へ嵌合させた装着筒、４はその装着筒から容器体内へ垂設されたシリンダ、５は該シリンダ内から上方付勢されて起立するステム、６は装着筒上部内から起立するステム挿通筒、７はステム上端に嵌合されたノズル８付きの押下げヘッドである。
【００１０】
該押下げヘッドを付勢して抗して下方へ押下げ、又弾性復帰させることで、容器体内液体はシリンダ内へ吸上げられ、又該シリンダ内液体はノズル８を通って外方へ噴出される。
【００１１】
11は上記ステム部分外面へ着脱自在に内面を嵌合された、図２が示すように横断面Ｃ字形状のストッパであり、該ストッパ背面からは連結板12を外方へ突出させ、該連結板先端にコマーシャル表示板13を付設している。該コマーシャル表示板は長方形状に形成させてあり、その下端はステム挿通筒６上面へ載置させるとよく、又上端は押下げヘッド７の上面とほぼ同一高さに位置させている。
【００１２】
図３は図１のコマーシャル表示板の変形例を示すもので、その板上端を押下げヘッド７の上面上方へ廂状板14を突出させている。
【００１３】
図４、図５、図６は第２実施形態を示す。該実施形態は、液体噴出器１を前方突出させた射出筒前部から斜下前方へトリガー21を垂下し、該トリガーの上部後面へ、シリンダ４内から前方突出させたプランジャ前端を圧接させてトリガー式液体噴出器とし、上記シリンダとトリガーとの間のプランジャ部分の下方外面へ横断面Ｃ字形状のストッパ11内面を着脱自在に嵌合させ、該ストッパ外側面から図５、図６が示すように連結板12を突出させ、該連結板先端へコマーシャル表示板13を付設し、該コマーシャル表示板で図４が示すようにトリガー式液体噴出器の側面を覆合させたものである。
【００１４】
図７と図８とは第３実施形態を示す。該実施形態の液体噴出器１はトリガー付きの縦形液体噴出器としたものであり、３は容器体口頸部外面へ嵌合させる装着筒で該装着筒後面からは上後方へアーム22を突出し、又該アームの先端にはへ字形状に形成したトリガー21の後端部を枢着させ、該トリガーの前後方向中間の後方寄り部分へ、上記装着筒内から容器体内へ垂下させたシリンダ４内から上方付勢されて起立するステム６上部を係合させ、そのステム上端部を前方屈曲させてその前部をノズル８としており、トリガー下部を装着筒３側へ引寄せすることで、ステムが付勢に抗して下降し、又トリガー解放によりステム６がトリガー21を復帰させて、そのステム上下動で容器体内液体がシリンダ内へ吸上げられ又シリンダ内液体がノズルから噴出するよう設けている。
【００１５】
上記アーム22の基部上面と該基部上面上方のトリガー部分下面と、ステム６とが形成する突間内へは、ストッパーとしての棒23を着脱自在に嵌合させている。そしてその棒はコマーシャル表示板13から突出させる。該板下面は装着筒３上面へ載置できるよう設けて安定させることが望ましい。
【００１６】
既述各実施形態におけるコマーシャル表示板13は、その板に直接印刷したり、又ラベルを貼付したりするに充分な大きさとする。
【図面の簡単な説明】
【００１７】
【図１】縦形ポンプ式液体噴出器へ装着させた状態で示す、第１実施形態ストッパ付きコマーシャル表示板の側面図である。
【図２】図１ストッパ付きコマーシャル表示板の平面図である。
【図３】図１ストッパ付きコマーシャル表示板を変形例で示す斜視図である。
【図４】トリガー式液体噴出器へ装着させた状態で示す、第２実施形態のストッパ付きコマーシャル表示板の側面図である。
【図５】図４のストッパ付きコマーシャル表示板の正面図である。
【図６】図５のストッパ付きコマーシャル表示板の平面図である。
【図７】トリガー式縦形ポンプ容器に装着させた状態で示す、第３ストッパ付きコマーシャル表示板の側面図である。
【図８】図７のストッパ付きコマーシャル表示板の平面図である。
【符号の説明】
【００１８】
１  液体噴出器          ３  装着筒
５  ステム              11  ストッパ      
12  連結板              13  コマーシャル表示板
21  トリガー            22  アーム  
【図１】
2007229615.tif 000003
【図２】
2007229615.tif 000004
【図３】
2007229615.tif 000005
【図４】
2007229615.tif 000006
【図５】
2007229615.tif 000007
【図６】
2007229615.tif 000008
【図７】
2007229615.tif 000009
【図８】
2007229615.tif 000010